(57)【要約】  換気扇は、円筒状の風洞と、前記風洞の前面側の吸入口の周縁部に連接されて半径方向に広がるフランジおよび前記フランジの端縁に連接されて背面側へ突出する立ち上がり部を有する本体フレームと、前記風洞内で回転する羽根車２１を有する送風機２０とを備え、室内の取り付け部に取り付けられる。前記フランジの背面に取り付けられた電気接続部品を背面側から覆って、前記本体フレームの背面側に取り付けられる保護カバー８０と、前記保護カバー８０の背面に形成されて、前記換気扇の取り付けに供される取り付け部品を保持する取り付け部品保持部９１と、を備える。
2016157476.tif 000002
【特許請求の範囲】
【請求項１】
円筒状の風洞と、前記風洞の前面側の吸入口の周縁部に連接されて半径方向に広がるフランジおよび前記フランジの端縁に連接されて背面側へ突出する立ち上がり部を有する本体フレームと、前記風洞内で回転する羽根車を有する送風機とを備え、室内の取り付け部に取り付けられる換気扇であって、
前記フランジの背面に取り付けられた電気接続部品を背面側から覆って前記本体フレームの背面側に取り付けられる保護カバーと、
前記保護カバーの背面に形成されて、前記換気扇の取り付けに供される取り付け部品を保持する取り付け部品保持部と、
を備えたことを特徴とする換気扇。
【請求項２】
前記保護カバーの外周部に設けられた複数の爪部と、
前記フランジに設けられて前記爪部と係合する複数の引っ掛け部と、
を備え、
前記引っ掛け部に前記爪部を引っ掛けることにより前記保護カバーが前記フランジに固定され、
前記取り付け部品保持部は、前記保護カバーに設けられた前記爪部と対向する位置に設けられていること、
を特徴とする請求項１に記載の換気扇。
【請求項３】
前記取り付け部品保持部は、前記フランジの背面に対する垂直方向において、前記取り付け部品の背面側の位置を前記立ち上がり部の端面と同一位置または前記立ち上がり部の端面よりも前記フランジ側の位置にして前記取り付け部品を保持すること、
を特徴とする請求項１または２に記載の換気扇。
【請求項４】
前記取り付け部品保持部は、前記フランジの背面に対する垂直方向において、前記取り付け部品を前記保護カバーの背面と離間させて保持すること、
を特徴とする請求項１から３のいずれか１つに記載の換気扇。
【請求項５】
前記取り付け部品保持部は、前記フランジの背面に対する垂直方向において、前記取り付け部品の背面側の位置を前記立ち上がり部の端面よりも背面側にして前記取り付け部品を保持すること、
を特徴とする請求項１または２に記載の換気扇。
【請求項６】
前記換気扇の運転の制御における判断に用いられる制御判断情報である室内の状態情報を検知するセンサと、
前記センサにおける検知結果に基づいて前記換気扇の運転状態を自動で制御するための制御回路を備えた複数の制御基板と、
前記複数の制御基板間を電気的に接続する中継線と、
を備え、
前記取り付け部品保持部は、前記中継線を覆った前記保護カバーの背面に形成されていること、
を特徴とする請求項１または２に記載の換気扇。
【請求項７】
前記換気扇の運転時に前記風洞を開放するとともに前記換気扇の停止時には前記風洞を閉鎖するシャッター部を備えること、
を特徴とする請求項１または２に記載の換気扇。
【発明の詳細な説明】
【技術分野】
【０００１】
本発明は、建物の壁または天井等の取り付け部に屋内側から設置されて、屋内の空気を吸い込んで送風管を通じて屋外へ排気する換気扇に関するものである。
【背景技術】
【０００２】
建物の壁または天井等の取り付け部において室内外を連通するパイプまたはダクト等の送風管に室内側から挿入されて装着され、室内の空気を室外へ排気して換気を行う換気扇が知られている。このような換気扇は、送風管に挿入される円筒状の風洞と、この風洞内でプロペラ式の羽根車が回転する送風機を備えている。また、円筒状の風洞の室内側開口部の外周には、半径方向に張り出すフランジが連設される。このような換気扇には、製品の運転および停止に合わせて開閉するシャッターを有する機種が存在する。このような換気扇は、一般的に木ねじ等の取り付け部品を使って壁または天井等の取り付け部に固定される。【０００３】
取り付け部品は小部品であることから、製品の出荷から設置場所での施工までに紛失しないように、フランジの背面にテープにより直接固定されたり、フランジの背面に着脱自在に保持する保持構造を有していることが多い。たとえば特許文献１には、取り付け部品の基部を宛う枕部と、保持部によって装着でき、取り付け部品の先端部を囲うガード部を備える保持構造がフランジの背面に構成されることが開示されている。また、特許文献２には、フランジ部の裏側に一体的に設けられて使用前の取り付けねじをフランジ部の壁面側端面より突出するように保持する保持部が開示されている。【０００４】
ここで、木ねじの保持構造がアンダーカットを有する場合には、スライドコア方式の金型を用いて該木ねじの保持構造を作製することができる。しかしながら、スライドコア方式を採用する場合には、金型の構造が複雑となるため金型製作費用が高価になる。そこで、金型製作費用を抑制するためには、本体フランジにおいて、木ねじの保持構造のアンダーカットに対応する部分に開口穴を開けた構造として、木ねじの保持構造を構成することが考えられる。
【先行技術文献】
【特許文献】
【０００５】
【特許文献１】特許第３７８８１９５号公報
【特許文献２】特許第３４３００３３号公報
【発明の概要】
【発明が解決しようとする課題】
【０００６】
しかしながら、取り付け部品の保持構造において、本体フランジに開口穴を開けた構造とした場合には、送風管と風洞との隙間からフランジの背面に侵入した外気が屋内側に侵入する懸念がある。また、製品の運転および停止に合わせて開閉するシャッターを備えた換気扇においては、冬季などの屋内外の温度差が大きい場合に、停止時に屋内側の意匠グリルまたはシャッターの表面に結露が発生する、という問題がある。【０００７】
本発明は、上記に鑑みてなされたものであって、フランジに開口穴を開けることなく、設置場所に取り付けるための取り付け部品を保持する保持構造を有するとともに外気侵入耐性を向上させた換気扇を得ることを目的とする。
【課題を解決するための手段】
【０００８】
上述した課題を解決し、目的を達成するために、本発明は、円筒状の風洞と、前記風洞の前面側の吸入口の周縁部に連接されて半径方向に広がるフランジおよび前記フランジの端縁に連接されて背面側へ突出する立ち上がり部を有する本体フレームと、前記風洞内で回転する羽根車を有する送風機とを備え、室内の取り付け部に取り付けられる換気扇であって、前記フランジの背面に取り付けられた電気接続部品を背面側から覆って前記本体フレームの背面側に取り付けられる保護カバーと、前記保護カバーの背面に形成されて、前記換気扇の取り付けに供される取り付け部品を保持する取り付け部品保持部と、を備えたことを特徴とする。
【発明の効果】
【０００９】
本発明によれば、フランジに開口穴を開けることなく、設置場所に取り付けるための取り付け部品を保持する保持構造を有するとともに外気侵入耐性を向上させた換気扇を得ることができる、という効果を奏する。
【図面の簡単な説明】
【００１０】
【図１】本発明の実施の形態にかかる換気扇を送風管に据え付けた状態を示す模式縦断面図
【図２】本発明の実施の形態にかかる換気扇の屋外側の斜視図
【図３】本発明の実施の形態にかかる換気扇の屋外側の分解斜視図
【図４】本発明の実施の形態にかかる換気扇の本体に制御基板強電部を収納した状態を示した斜視図
【図５】本発明の実施の形態にかかる換気扇の制御基板弱電部とセンサとを示した斜視図
【図６】本発明の実施の形態にかかる換気扇の制御基板強電部と中継線との接続状態を示した模式断面図
【図７】本発明の実施の形態にかかる換気扇の制御基板弱電部と中継線との接続状態を示した模式断面図
【図８】本発明の実施の形態にかかる換気扇の制御基板弱電部と中継線との接続状態を示した模式断面図
【図９】本発明の実施の形態にかかる換気扇のセンサと中継線との接続状態を示した模式断面図
【図１０】本発明の実施の形態にかかる換気扇の保護カバーに設けられた保持部を示した斜視図
【図１１】本発明の実施の形態にかかる換気扇の保護カバーに設けられた保持部に木ねじを固定した状態を示した斜視図
【図１２】本発明の実施の形態にかかる換気扇の保護カバーに設けられた保持部を示した上面図
【図１３】本発明の実施の形態にかかる換気扇の保護カバーに設けられた保持部に木ねじを固定した状態を示した上面図
【図１４】本実施の形態にかかる他の換気扇の屋外側の斜視図
【図１５】本実施の形態にかかる他の換気扇の屋外側の分解斜視図
【図１６】本実施の形態にかかる他の換気扇の本体の背面に閉端接続子を収納した状態を示した斜視図
【発明を実施するための形態】
【００１１】
以下に、本発明の実施の形態にかかる換気扇を図面に基づいて詳細に説明する。なお、この実施の形態によりこの発明が限定されるものではない。
【００１２】
実施の形態
図１は、本発明の実施の形態にかかる換気扇１を送風管７に据え付けた状態を示す模式縦断面図である。図２は、本発明の実施の形態にかかる換気扇１の屋外側５の斜視図である。図３は、本発明の実施の形態にかかる換気扇１の屋外側５の分解斜視図であり、換気扇１から保護カバー８０を外した状態を示す分解斜視図である。また、以下の図面では各構成部材の大きさの関係が実際のものとは異なる場合がある。
【００１３】
図１〜図３に示すように、本実施の形態にかかる換気扇１は、建物の壁または天井等の取り付け場所の屋内側４に、屋内側４から挿入して設置されるものである。本実施の形態では、天井６を取り付け場所とする。この換気扇１は、室内と室外とを連通させる送風管７に挿入する円筒状の風洞１１を有する樹脂製の本体フレーム１０に、送風機２０が取り付けられた本体２と、本体２の前面側において、爪嵌合等により取り付け固定された意匠グリル３とを備える。本実施の形態では、送風管７はパイプとする。なお、以降の説明においては、図１の紙面左側を「前面側」、紙面右側を「背面側」として説明する。
【００１４】
本体フレーム１０は、樹脂で構成され、送風管７に挿入される円筒状の風洞１１を有する。風洞１１の前面側、すなわち室内側には、風洞１１へ空気を吸込む吸込口である開口部１２が開口しており、風洞１１における開口部１２の周縁部１３はベルマウス形状に構成されている。この周縁部１３には、前面構造が一体に形成されている。前面構造は、周縁部１３から風洞１１の半径方向外側に向かって張り出す正方形状のフランジ１４と、フランジ１４の半径方向外側の端縁から背面側に向かって起立した立ち上がり部１５とを有する。立ち上がり部１５の端面は、換気扇１が室内に取り付けられたときに、室内側の取り付け面である天井６に当接する。
【００１５】
風洞１１、周縁部１３、フランジ１４と立ち上がり部１５とにより、本体フレーム１０の背面が凹状に形成されており、この凹状の領域に各種部材が収納可能とされている。立ち上がり部１５には、図２および図３に示すように長孔１６を有する取り付け部１７が対向位置に２つ設けられ、その各長孔１６はフランジ１４の前面に形成された図示しない取り付け孔に繋がっている。
【００１６】
送風機２０は、プロペラ式の羽根車２１と、回転軸２３を有し羽根車２１を回転させるファンモーター２２とを備える。送風機２０は、本体フレーム１０の風洞１１の背面側に取り付けられている。
【００１７】
ファンモーター取り付け部２４は、風洞１１の背面側に風洞１１の周方向に間隔をおいて設けられ、風洞１１の中心線方向に沿って背後に延出する四本の脚部２５と、各脚部２５の端部から風洞１１の半径方向内側に向かって延びるように連接された橋絡部２６と、橋絡部２６により風洞１１の中心に支持されたモーターカバー２７とを備える。四本の脚部２５は、いずれも風洞１１の外周よりも径方向内側に位置している。この橋絡部２６において、回転軸２３がモーターカバー２７の先から風洞１１の中心線上に突き出すようにファンモーター２２がねじ締めされている。そして、回転軸２３に、羽根車２１が風洞１１に内包される状態で装着されている。ファンモーター２２が動作して回転軸２３が回転することにより、羽根車２１は風洞１１内で回転する。
【００１８】
四本の脚部２５のうちの一本に連なる橋絡部２６には、風洞１１の径方向外側に向かって延びる取り付けバネ２８が装着されている。取り付けバネ２８は、半径方向への拡開弾力により本体２を送風管７内に保持するために反りが設けられている。この取り付けバネ２８は、本体２を木ねじで取り付け部に固定する前の本体２の仮止めに使用される。なお、換気扇の取り付けは、送風管に本体を差し込んで、板ばねの拡開弾力により木ねじを使わずに行うこともあるが、本体を木ねじで取り付け部に固定して行うのが一般的である。
【００１９】
意匠グリル３は、本体フレーム１０の前面構造であるフランジ１４および立ち上がり部１５を前面側から被覆する構造となっている。意匠グリル３は、換気扇１の運転時に風洞１１を開放し、停止時には風洞１１を閉鎖するシャッター部３０と、シャッター部３０を閉鎖させるためのバネ３１とを有している。意匠グリル３は、本体２に対して爪嵌合等の固定方法により着脱可能に取り付けられて固定され、取り外すことで意匠グリル３を容易に清掃することができる。
【００２０】
本体２の前面側には、シャッター部３０を開くためのロッド３３が取り付けられている。本体２の背面側には、シャッター部３０を開くための電動機３２が取り付けられている。そして、電動機３２に取り付けられた図示しないワイヤーが、本体２に設けられた図示しない開口部から本体２の前面側に引き出されている。電動機３２によってワイヤーが巻き取られる、またはワイヤーが引き出されることにより、ロッド３３の動きを制御できる。電動機３２に電力を印加すると、ロッド３３がシャッター部３０を屋外側５から屋内側４へ押し出すことで、シャッター部３０が開き、風洞１１を開放させる構造となっている。また、換気扇１の運転停止時は、意匠グリル３に設けられたバネ３１の反力により、シャッター部３０を閉鎖させる構造となっている。
【００２１】
フランジ１４の背面において本体２の上側における左側の角部近傍領域には、電源部３４が収納されている。電源部３４は、換気扇１の外部の外部電源から供給される交流電力を、図示しない中継線を介してファンモーター２２と電動機３２とに供給する。また、詳細な説明および図示は省略するが、電源部３４に接続されて使用者により操作される操作部が意匠グリル３から露出して設けられている。
【００２２】
図４は、本発明の実施の形態にかかる換気扇１の本体２に制御基板強電部４０を収納した状態を示した斜視図である。図５は、本発明の実施の形態にかかる換気扇１の制御基板弱電部５０とセンサ７０とを示した斜視図である。図６は、本発明の実施の形態にかかる換気扇１の制御基板強電部４０と中継線６０との接続状態を示した模式断面図である。図７は、本発明の実施の形態にかかる換気扇１の制御基板弱電部５０と中継線６０との接続状態を示した模式断面図である。図８は、本発明の実施の形態にかかる換気扇１の制御基板弱電部５０と中継線６１との接続状態を示した模式断面図である。図９は、本発明の実施の形態にかかる換気扇１のセンサ７０と中継線６１との接続状態を示した模式断面図である。
【００２３】
換気扇１は、室内における人の有無、室内における人の動き、室内の湿度、室内の温度、室内の特定ガスの濃度等の、換気扇１の運転の制御における判断に用いられる制御判断情報である室内の状態情報を検知し、検知結果に基づいて換気扇１の運転、停止、強運転、弱運転を自動で切り換えるために、制御基板およびセンサ７０を搭載している。制御基板としては、図３に示す制御基板強電部４０と制御基板弱電部５０とを有する。
【００２４】
制御基板強電部４０は、換気扇１の外部の図示しない外部電源から供給される交流電力を直流電力に変換するインバータ回路基板である電源基板である。制御基板強電部４０には、外部電源から交流電力が直接供給されてもよく、電源部３４を介して外部電源から交流電力が供給されてもよい。電源部３４から制御基板強電部４０に交流電流が供給される場合には、図示しない中継線により電源部３４と制御基板強電部４０とが電気的に接続される。
【００２５】
制御基板強電部４０は、保護ケース４１に収納され、保護ケース４１に覆われた状態で使用される。保護ケース４１は、水滴および埃等から制御基板強電部４０を保護し、また、制御基板強電部４０にショートが生じた場合の外部への影響を防止できる。そして、制御基板強電部４０は、保護ケース４１で覆われた状態で、フランジ１４の背面の本体２の上側における右側の角部近傍領域に収納されている。
【００２６】
制御基板強電部４０は、リード線である中継線６０を介して制御基板弱電部５０と電気的に接続されている。制御基板強電部４０は、交流電力から生成した直流電力を、中継線６０を介して制御基板弱電部５０に供給する。制御基板強電部４０には、中継線６０と接続するためのコネクタ４０ａが設けられている。また、制御基板弱電部５０には、中継線６０と接続するためのコネクタ５０ａが設けられている。一方、中継線６０の両端には、コネクタ６０ａが設けられている。そして、コネクタ４０ａとコネクタ６０ａとを接続することにより制御基板強電部４０と中継線６０とが電気的に接続され、コネクタ５０ａとコネクタ６０ａとを接続することにより制御基板弱電部５０と中継線６０とが電気的に接続される。なお、制御基板強電部４０のコネクタ４０ａに接続された中継線６０は、保護ケース４１の一側面に設けられている切り欠き部から引き出される。
【００２７】
制御基板弱電部５０は、センサ７０における検出データに基づいて換気扇１の運転、停止、強運転、弱運転を自動で切り換える制御を行う制御部である。制御基板弱電部５０は、マイクロコンピュータを搭載した回路基板により構成されている。制御基板弱電部５０は、制御基板強電部４０から中継線６０を介して供給される直流電力を電源とする。
【００２８】
制御基板弱電部５０は、図３に示すように、制御基板強電部４０からの中継線６０の引き出し方向となっているフランジ１４の背面の本体２の下側に収納されている。
【００２９】
制御基板弱電部５０とセンサ７０とは、中継線６１を介して各種情報の送受信が可能である。また、制御基板弱電部５０は、制御基板強電部４０から中継線６０を介して供給される直流電力の一部を、中継線６１を介してセンサ７０に供給する。センサ７０は、制御基板弱電部５０から中継線６１を介して供給される直流電力を電源とする。
【００３０】
また、制御基板弱電部５０は、センサ７０での検出結果に基づいて換気扇１の運転の切り換えを自動制御する際の閾値となる、室内の湿度、室内の温度、室内の特定ガスの濃度の設定値を変更するための設定部５１を備える。設定部５１としては、詳細な説明は省略するが一般的なスイッチ付き可変抵抗が使用される。制御基板弱電部５０は、設定部５１において設定される値に基づいて、室内の湿度、室内の温度、室内の特定ガスの濃度の設定値を既定の演算処理によって演算する。そして、制御基板弱電部５０は、この演算結果を閾値として使用し、換気扇１の運転、停止、強運転、弱運転を自動で切り換える。また、制御基板弱電部５０は、運転状態を連続運転−センサ自動運転−運転停止に変更できる運転状態切り換え部５２を有する。
【００３１】
センサ７０には、中継線６１と接続するためのコネクタ７０ａが設けられている。また、制御基板弱電部５０には、中継線６１と接続するためのコネクタ５０ｂが設けられている。一方、中継線６１の両端には、コネクタ６１ａが設けられている。そして、コネクタ７０ａとコネクタ６１ａとを接続することによりセンサ７０と中継線６１とが電気的に接続され、コネクタ５０ｂとコネクタ６１ａとを接続することにより制御基板弱電部５０と中継線６１とが電気的に接続される。これにより、中継線６１を介して制御基板弱電部５０とセンサ７０とが電気的に接続される。
【００３２】
人の動き、室内の湿度、室内の温度、室内の特定ガスの濃度を検知するセンサ７０は、フランジ１４の背面において、制御基板弱電部５０の収納部の横の位置に収納されている。そして、制御基板弱電部５０においてコネクタ５０ｂをセンサ７０の配置領域側に設けることにより、短い長さの中継線６１によって制御基板弱電部５０とセンサ７０とを接続できるため中継線６１のコストを削減でき、また中継線６１の配線作業を容易にすることが可能となる。
【００３３】
また、制御基板強電部４０、制御基板弱電部５０、センサ７０は、これらを背面側から覆う保護カバー８０によりフランジ１４の背面に固定され、外部から絶縁されている。また、中継線６０および中継線６１も保護カバー８０により覆われて外部から絶縁されている。また、制御基板強電部４０に電源部３４を介して外部電源から交流電力が供給される場合に制御基板強電部４０と電源部３４とを接続する中継線も保護カバー８０により覆われて外部から絶縁される。すなわち、保護カバー８０は、フランジ１４の背面に配置された電子部品および電気接続部品を覆って本体フレーム１０の背面側に取り付けられ、これらの部材を保護する。保護カバー８０を本体２の背面側に取り付けることにより、保護カバー８０で覆われる領域に配置される電子部品および電気接続部品への水滴および埃等の異物の付着量を低減することができる。また、制御基板を外部から絶縁でき、電子部品および電気接続部品への傷付きを防止できる。また、制御基板強電部４０、制御基板弱電部５０、センサ７０、中継線６０，６１を１つの保護カバー８０で覆うことができるため、部品標準化および使用部品点数の削減、および金型費抑制、組立作業時間短縮の効果が得られる。
【００３４】
保護カバー８０は、図２および図３に示すように保護カバー８０の外周に設けられた複数の爪部８０ａおよび引っ掛け部８０ｃを、本体２側に設けられて爪部８０ａおよび引っ掛け部８０ｃと係合する引っ掛け部２ａおよび爪部２ｂに引っ掛けることにより爪嵌合にて本体２に取り付けられて、フランジ１４の背面に固定される。引っ掛け部２ａは、本体２における立ち上がり部１５に複数設けられている。また、爪部２ｂは、フランジ１４から背面側に突出して設けられた仕切り板１８に複数設けられている。本体２に取り付けられた保護カバー８０は、フランジ１４側の面の少なくとも一部が制御基板強電部４０、制御基板弱電部５０およびセンサ７０に当接することにより、制御基板強電部４０、制御基板弱電部５０およびセンサ７０を背面側からフランジ１４の背面に固定できる。
【００３５】
保護カバー８０は、本体２に取り付けられた際に、立ち上がり部１５の端面から突出しない。すなわち、保護カバー８０の背面は凹凸を有しているが、フランジ１４に対する垂直方向において、本体２に取り付けられた保護カバー８０の背面側の位置は、立ち上がり部１５の端面と同一位置または立ち上がり部１５の端面よりもフランジ１４側に位置する。これにより、換気扇１を天井６に取り付けた際に本体フレーム１０が天井６から浮くことがない。また、フランジ１４に対する垂直方向における保護カバー８０の背面の位置に関して、電気接続部品である中継線６０が配置された領域を覆っている部分は、電子部品である制御基板強電部４０および制御基板弱電部５０を覆っている部分よりもフランジ１４側に位置する。
【００３６】
図１０は、本発明の実施の形態にかかる換気扇１の保護カバー８０に設けられた保持部９１を示した斜視図である。図１１は、本発明の実施の形態にかかる換気扇１の保護カバー８０に設けられた保持部９１に木ねじ９０を固定した状態を示した斜視図である。図１２は、本発明の実施の形態にかかる換気扇１の保護カバー８０に設けられた保持部９１を示した上面図である。図１３は、本発明の実施の形態にかかる換気扇１の保護カバー８０に設けられた保持部９１に木ねじ９０を固定した状態を示した上面図である。
【００３７】
保護カバーの背面８０ｂには、図２、図３、図１０〜図１３に示すように、換気扇１の取り付けに供される取り付け部品である木ねじ９０を着脱自在に保持できる取り付け部品保持部９１が設けられている。以下では、取り付け部品保持部９１を保持部９１と呼ぶ。保持部９１は、ねじ頭保持部９１ａ、突起部９１ｂ、ねじ中央保持部９１ｃ、第１リブ９１ｄ、第２リブ９１ｅ、およびねじ先端保持部９１ｆから構成されている。保持部９１は、保護カバーの背面８０ｂにおいて、電子部品である制御基板強電部４０および制御基板弱電部５０を覆う領域には設けられず、電気接続部品を覆っている領域に設けられる。すなわち、本実施の形態では、保持部９１は、フランジ１４の背面において電気接続部品である中継線６０が配置された領域を覆っている保護カバー８０の背面に設けられる。また、保持部９１は、射出成形により保護カバー８０と一体に形成されている。
【００３８】
保持部９１は、木ねじ９０の伸長方向をフランジ１４の背面の面方向と平行方向にして木ねじ９０を保持する。保持部９１は、突起部の頭９１ｇを有する突起部９１ｂとねじ中央保持部９１ｃとで木ねじ９０の伸長方向における中央領域を挟み込むことにより、木ねじ９０における保護カバーの背面８０ｂに対する垂直方向の動きを抑制している。また、第１リブ９１ｄと、第１リブ９１ｄより木ねじ９０の先端方向に位置している第２リブ９１ｅとによって木ねじの先端側領域９０ａを挟み込むことにより、木ねじ９０における保護カバーの背面８０ｂの面方向の動きを抑制して保持部９１での木ねじ９０の保持力を向上させている。
【００３９】
ねじ頭保持部９１ａ、ねじ中央保持部９１ｃ、突起部の頭９１ｇ、およびねじ先端保持部９１ｆは、保持部９１に木ねじ９０が固定された際に、木ねじ９０の伸長方向と垂直な面方向において円盤形状を有する木ねじ９０のねじ頭９０ｂの屋外５側の上端部が本体２の立ち上がり部１５の端部から背面側へ突出しないように構成されている。すなわち、ねじ頭保持部９１ａ、ねじ中央保持部９１ｃ、突起部の頭９１ｇ、およびねじ先端保持部９１ｆは、保持部９１に木ねじ９０が固定された際に、ねじ頭９０ｂの上端部が本体２の立ち上がり部１５の端部から背面側へ突出しないように、木ねじ９０を保持する部分の高さ位置が調整されている。ねじ頭９０ｂの上端部は、保持部９１に木ねじ９０が固定された際に、ねじ頭９０ｂにおける最も背面側に位置する部分である。すなわち、フランジ１４に対する垂直方向において、ねじ頭９０ｂの上端部の位置は、立ち上がり部１５の端面と同一位置または立ち上がり部１５の端面よりもフランジ１４側に位置する。
【００４０】
また、ねじ頭９０ｂの大きさが大きい場合には、ねじ頭９０ｂが保護カバー８０に接触し、木ねじ９０が既定の配置位置から屋外５側に浮き上がり、ねじ頭９０ｂの上端部が本体２の立ち上がり部１５の端部から背面側へ突出することが考えられる。ねじ頭９０ｂが大きい場合には、保護カバー８０において、保持部９１に木ねじ９０が固定された際にねじ頭９０ｂに対向する位置およびこの周辺領域に、背面側から室内側に凹んだ凹部９１ｈを設けることが有効である。この場合は、ねじ頭９０ｂにおける保護カバー８０側の１部分が凹部９１ｈに入り込んだ状態で保持される。
【００４１】
ねじ頭保持部９１ａ、ねじ中央保持部９１ｃ、突起部の頭９１ｇ、およびねじ先端保持部９１ｆにおける木ねじ９０を保持する部分の高さ位置を調整するとともに、凹部９１ｈを設けることにより、ねじ頭９０ｂの上端部の位置をよりフランジ１４側とすることが可能である。これにより、ねじ頭９０ｂが本体２の立ち上がり部１５の端部から背面側へ突出し、作業者等が木ねじ９０に不用意に触れてしまうことによる怪我を防止することができる。また、ねじ頭９０ｂの大きさに起因してねじ頭９０ｂが保護カバー８０に接触することによる、または木ねじ９０に作業者等が不用意に触れて木ねじ９０を保護カバー８０に接触させてしまうことによる、保護カバー８０の傷付きを防止することができる。なお、凹部９１ｈは、開口部とすることもできる。ただし、保護カバー８０とフランジ１４との間に開口部から水分および埃が入り込まないように凹部とすることが好ましい。
【００４２】
逆に、凹部９１ｈを設ける代わりに、保持部９１に木ねじ９０が固定された際にねじ頭９０ｂに対向する位置およびこの周辺領域に凸形状を設けてもよい。この場合は、保持部９１に木ねじ９０が固定された際に、ねじ頭９０ｂの上端部が本体２の立ち上がり部１５の端部から背面側へ突出する構造となる。すなわち、ねじ頭保持部９１ａ、ねじ中央保持部９１ｃ、突起部の頭９１ｇ、およびねじ先端保持部９１ｆは、保持部９１に木ねじ９０が固定された際に、ねじ頭９０ｂの上端部が本体２の立ち上がり部１５の端部から背面側へ突出するように、木ねじ９０を保持する部分の高さ位置が構成される。
【００４３】
保護カバー８０から木ねじ９０を外さずに本体２を室内側の天井６に取り付けた場合には、換気扇１と天井６との間に隙間が発生する。ねじ頭９０ｂの上端部が本体２の立ち上がり部１５の端部から背面側へ突出する構造とすることにより、換気扇１の取り付け後における点検等の際に、意匠グリル３を本体２から取り外さなくても木ねじ９０による換気扇１の固定の有無を目視で容易に判断することができる。これにより、木ねじ９０の固定忘れによる換気扇１の落下または換気扇１の落下による怪我等の不具合を未然に防止することができる。
【００４４】
また、図３、図１０〜図１３に示すように、保護カバー８０を本体２に取り付ける爪部８０ａを、保護カバー８０の外周における保持部９１の周辺に設け、本体２側においてもこの爪部８０ａに爪嵌合する位置に引っ掛け部２ａを設けることが好ましい。これにより、作業者が保護カバー８０から木ねじ９０を取り外す際に、本体２の引っ掛け部２ａから保護カバー８０の爪部８０ａが外れ難い構造とすることができる。また、爪部８０ａの形成位置は、保護カバー８０の外周における保持部９１に対向する位置とすることがより好ましい。
【００４５】
このように、保持部９１を保護カバー８０の背面に設け、保護カバー８０に木ねじ９０を固定できる構造とすることにより、木ねじ９０の保持構造形成のために本体２のフランジ１４に開口穴を設ける必要がなくなる。これにより、フランジ１４の開口穴を介したフランジ１４の背面側から室内側への屋外空気の侵入が無くなり、換気扇１の運転停止時におけるフランジ１４の背面側から室内側への屋外空気の侵入を抑制することができる。そして、室内側への屋外空気の侵入を抑制することにより、換気扇１の運転停止時に、冬季などの屋内外の温度差が大きい場合でも、意匠グリル３およびシャッター部３０の表面への結露発生量を低減することが可能となる。したがって、換気扇１では、外気侵入耐性および結露耐性を向上させることができる。
【００４６】
また、保持部９１を実現するにあたり、保護カバー８０の一部に開口穴を開けた構造にしても、上記の効果が得られる。このため、保持部９１がアンダーカットを有する構造である場合でも、金型製作が高価になるスライドコア方式を採用せずに保持部９１を形成することができ、射出成形における金型製作費用を抑制することができる。なお、保持部９１では、突起部の頭９１ｇを有するため、アンダーカットを有する構造とされている。このため、保持部９１は、金型製作が高価になるスライドコア方式を採用せずに作製するために、保護カバー８０における突起部の頭９１ｇの下部領域に開口穴９１ｉを有する構造とされている。また、開口穴９１ｉの下部領域は、図４に示すように仕切り板１８で囲まれるため、開口穴９１ｉを通じた制御基板強電部４０および制御基板弱電部５０への水滴および埃等の侵入が抑制される。
【００４７】
つぎに、センサを用いた換気扇の制御機能を搭載しない本実施の形態にかかる他の換気扇について説明する。図１４は、本実施の形態にかかる他の換気扇の屋外側５の斜視図である。図１５は、本実施の形態にかかる他の換気扇の屋外側の分解斜視図であり、保護カバー８０を外した状態を示した図である。図１６は、本実施の形態にかかる他の換気扇の本体２の背面に閉端接続子１００を収納した状態を示した斜視図である。なお、他の換気扇は、センサを用いた換気扇の制御機能を搭載しない点と、閉端接続子保持部１０１に固定された閉端接続子１００を備える点が上述した換気扇１と異なる点以外は、基本的な構造は換気扇１と同じである。また、本実施の形態にかかる他の換気扇に保護カバー８０を取り付けた状態は、図２と同じである。
【００４８】
センサを用いた換気扇の制御機能を搭載しない場合には、上述した換気扇１において制御基板強電部４０、制御基板弱電部５０、センサ７０、中継線６０、中継線６１が無い構造となる。この場合、換気扇１において制御基板強電部４０が収納されていたフランジ１４の背面の領域に閉端接続子保持部１０１を設け、この閉端接続子保持部１０１に、送風機２０と電源との接続に用いる閉端接続子１００を固定できる。閉端接続子保持部１０１は、本体２のフランジ１４の背面に突出して設けられた３つの突起部１０１ａを備える。閉端接続子１００は、対向する２つの突起部１０１ａ間に挿入されることにより２つの突起部１０１ａにより挟持されて固定され、保持される。
【００４９】
このように本体２のフランジ１４の背面に保持された閉端接続子１００を用いることにより、換気扇の組み立て時の配線作業を容易にできる。そして、保護カバー８０の室内側の面を閉端接続子保持部１０１の背面側の端面に当接させて取り付けることによって、閉端接続子１００を閉端接続子保持部１０１から外れないように固定するとともに、閉端接続子１００を外部から絶縁することができる。これにより、保護カバー８０で覆われる領域に配置される中継線に傷付き防止用のチューブ等の取り付け処置を施さなくても中継線への傷付きを防止することができる。また、保護カバー８０を本体２の背面側に取り付けることにより、保護カバー８０で覆われる領域に配置される中継線およびその他の電気接続部品への水滴および埃等の異物の付着量を低減することができる。
【００５０】
上述したように、本実施の形態では、保持部９１を保護カバー８０の背面に設けて保護カバー８０の背面に木ねじ９０を固定できる構造とすることにより、木ねじ９０の保持構造形成のために本体２のフランジ１４に開口穴を設ける必要がなくなる。これにより、換気扇１の運転停止時におけるフランジ１４の背面側から室内側への屋外空気の侵入を抑制でき、換気扇１の運転停止時に、冬季などの屋内外の温度差が大きい場合でも、換気扇１の外気侵入耐性および結露耐性を向上させることができる。
【００５１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５２】
１  換気扇、２  本体、２ａ，８０ｃ  引っ掛け部、２ｂ，８０ａ  爪部、３  意匠グリル、４  屋内側、５  屋外側、６  天井、７  送風管、１０  本体フレーム、１１  風洞、１２  開口部、１３  周縁部、１４  フランジ、１５  立ち上がり部、１６  長孔、１７  取り付け部、１８  仕切り板、２０  送風機、２１  羽根車、２２  ファンモーター、２３  回転軸、２４  ファンモーター取り付け部、２５  脚部、２６  橋絡部、２７  モーターカバー、２８  取り付けバネ、３０  シャッター部、３１  バネ、３２  電動機、３３  ロッド、３４  電源部、４０  制御基板強電部、４０ａ  コネクタ、４１  保護ケース、５０  制御基板弱電部、５０ａ  コネクタ、５０ｂ  コネクタ、５１  設定部、５２  運転状態切り換え部、６０  中継線、６０ａ  コネクタ、６１  中継線、６１ａ  コネクタ、７０  センサ、７０ａ  コネクタ、８０  保護カバー、８０ｂ  保護カバーの背面、９０  木ねじ、９０ａ  木ねじの先端側領域、９０ｂ  ねじ頭、９１  取り付け部品保持部、９１ａ  ねじ頭保持部、９１ｂ  突起部、９１ｃ  ねじ中央保持部、９１ｄ  第１リブ、９１ｅ  第２リブ、９１ｆ  ねじ先端保持部、９１ｇ  突起部の頭、９１ｈ  凹部、９１ｉ  開口穴、１００  閉端接続子、１０１  閉端接続子保持部、１０１ａ  突起部。
【図１】
2016157476.tif 000003
【図２】
2016157476.tif 000004
【図３】
2016157476.tif 000005
【図４】
2016157476.tif 000006
【図５】
2016157476.tif 000007
【図６】
2016157476.tif 000008
【図７】
2016157476.tif 000009
【図８】
2016157476.tif 000010
【図９】
2016157476.tif 000011
【図１０】
2016157476.tif 000012
【図１１】
2016157476.tif 000013
【図１２】
2016157476.tif 000014
【図１３】
2016157476.tif 000015
【図１４】
2016157476.tif 000016
【図１５】
2016157476.tif 000017
【図１６】
2016157476.tif 000018
【国際調査報告】
2016157476.tif 000019
2016157476.tif 000020
2016157476.tif 000021
2016157476.tif 000022